(57)【要約】  専用の無線アクセスポイントを必要とせず、かつ、空気調和機とは別体の操作装置の手元操作のみで空気調和機を無線アクセスポイントにペアリングさせることができる。リモコン（１５）には、エアコン（１２）に指示して、エアコンの無線装置である第１通信部からペアリング要求データを送信させるペアリング要求指示ボタンが設けられ、エアコン（１２）は、リモコン（１５）よりペアリング要求指示ボタンが操作されたことを示す信号を受信すると、第１通信部よりペアリング要求データを送信し、認証データを無線ＡＰ（１３）より受信するとペアリングを完了し、無線ＡＰ（１３）と接続する。
2018220898.tif 000002
【特許請求の範囲】
【請求項１】
無線装置を有する空気調和機と、該空気調和機を無線にて操作可能な操作装置とを含む、空気調和機と通信ネットワークとの接続を制御する通信制御システムであって、
前記操作装置は、前記無線装置にペアリング要求データを送信させるペアリング要求操作を受け付け可能であり、
前記空気調和機は、前記操作装置にて前記ペアリング要求操作を受け付けたことを示す信号を受信すると、前記無線装置に前記ペアリング要求データを送信させ、送信させた前記ペアリング要求データに対応する認証データを無線アクセスポイントより受信するとペアリングを完了し、前記無線装置を前記無線アクセスポイントに接続することを特徴とする通信制御システム。
【請求項２】
前記空気調和機は、前記無線装置が起動されていない状態で、前記操作装置からペアリング要求操作を受け付けたことを示す信号を受信すると、前記無線装置を起動させた後、前記ペアリング要求データを送信させることを特徴とする請求項１に記載の通信制御システム。
【請求項３】
前記操作装置は、前記空気調和機に対して、通信ネットワークからの切り離しを指示する切り無し操作を受け付け可能であり、
前記空気調和機は、前記操作装置にて前記切り離し操作を受け付けたことを示す信号を受信すると、前記無線装置を前記無線アクセスポイントより切り離すことを特徴とする請求項１又は２に記載の通信制御システム。
【請求項４】
前記操作装置は、前記空気調和機のリモコン装置であり、
前記リモコン装置における、押しても空気調和機の動作状態が変化しない所定の機能ボタンがペアリング要求操作を受け付けるペアリング要求指示ボタンとして兼用され、
前記空気調和機は、前記操作装置より前記ペアリング要求指示ボタンが操作されたことを示す信号として、前記所定の機能ボタンが長押しされたことを示す信号を受信することを特徴とする請求項１から３の何れか１項に記載の通信制御システム。
【請求項５】
前記操作装置は、前記空気調和機のリモコン装置であり、
前記リモコン装置における、押しても空気調和機の動作状態が変化しない所定の機能ボタンが切り無し指示操作を受け付ける切り離し指示ボタンとして兼用され、
前記空気調和機は、前記操作装置より前記切り離し指示ボタンが操作されたことを示す信号として、前記所定の機能ボタンが長押しされたことを示す信号を受信することを特徴とする請求項１から４の何れか１項に記載の通信制御システム。
【請求項６】
前記空気調和機は、前記無線アクセスポイントとのペアリング時の通信状態の変化をユーザに報知する報知部を備えることを特徴とする請求項１から５の何れか１項に記載の通信制御システム。
【請求項７】
前記空気調和機は、前記無線装置へ電源電圧を供給することで前記無線装置を起動してオン状態とし、前記無線装置への電源電圧の供給を止めることで前記無線装置をオフ状態として前記無線アクセスポイントより切り離すことを特徴とする請求項１から６の何れか１項に記載の通信制御システム。
【請求項８】
前記無線装置は集積回路を備え、
前記空気調和機は、前記集積回路のリセットポートに入力させる信号を制御することで前記無線装置を起動してオン状態とし、前記集積回路のリセットポートに入力させる信号を制御することで前記無線装置をオフ状態として前記無線アクセスポイントより切り離すことを特徴とする請求項１から６の何れか１項に記載の通信制御システム。
【請求項９】
無線装置を有する空気調和機であって、
当該空気調和機を無線にて操作可能な操作装置より、ペアリング要求操作を受け付けたことを示す信号を受信すると、前記無線装置にペアリング要求データを送信させ、送信させた前記ペアリング要求データに対応する認証データを無線アクセスポイントより受信するとペアリングを完了し、前記無線装置を前記無線アクセスポイントに接続することを特徴とする空気調和機。
【請求項１０】
前記操作装置より、前記空気調和機と通信ネットワークとの切り離し操作を受け付けたことを示す信号を受信すると、前記無線装置を前記無線アクセスポイントより切り離すことを特徴とする請求項９に記載の空気調和機。
【発明の詳細な説明】
【技術分野】
【０００１】
本発明は、無線装置を有する空気調和機と無線アクセスポイントとのペアリングを含む、空気調和機と通信ネットワークとの接続を制御する通信制御システムに関する。
【背景技術】
【０００２】
通信ネットワークを介して、モバイル端末と空気調和機とサーバとを関連付け、モバイル端末を用いて宅外から空気調和機を遠隔操作する技術が広がっている。遠隔操作を行うためには、空気調和機（室内機）に無線ＬＡＮモジュールを搭載させ、該無線ＬＡＮモジュールと無線ＬＡＮのルータ等の無線アクセスポイントとをペアリングして接続する必要がある。【０００３】
特許文献１には、エアコンを操作するための赤外線リモコンを使用し、エアコンと無線アクセスポイントとのペアリングを遠隔操作にて行う技術が記載されている。【０００４】
また、特許文献２には、室内機とペアリング（第１ペアリング）した無線リモコンを使用して、室内機と無線機器とをペアリング（第２ペアリング）する空気調和機が記載されている。
【先行技術文献】
【特許文献】
【０００５】
【特許文献１】日本国特許公報「特開２０１５−８４５４号」
【特許文献２】日本国特許第５９６２０５９号明細書
【特許文献３】日本国特許公報「特開２０１２−８０４８２号」
【特許文献４】日本国特許公報「特開２０１７−８３１４９号」
【発明の概要】
【発明が解決しようとする課題】
【０００６】
しかしながら、特許文献１、２に記載された従来のリモコンを用いたペアリングの方法では、以下のような問題がある。【０００７】
特許文献１の方法では、エアコンとペアリングされる無線アクセスポイン側にも赤外線の受光機能が必要となる。一般的な無線アクセスポイントは赤外線の受光機能を搭載していないため、当該技術を利用するには専用の無線アクセスポイントが必要となる。【０００８】
特許文献２の方法では、無線リモコンを室内機にペアリングする第１ペアリングにおいて、室内機に設けられたスイッチを押す必要がある。そのため、無線リモコンの手元操作だけでペアリング処理を完了できるものではない。【０００９】
本発明の一態様は、専用の無線アクセスポイントを必要とせず、かつ、空気調和機とは別体の操作装置の手元操作のみで空気調和機を無線アクセスポイントにペアリングさせることができる通信制御システムの提供を目的としている。
【課題を解決するための手段】
【００１０】
上記の課題を解決するために、本発明の一態様に係る通信制御システムは、無線装置を有する空気調和機と、該空気調和機を無線にて操作可能な操作装置とを含む、空気調和機と通信ネットワークとの接続を制御する通信制御システムであって、前記操作装置には、前記空気調和機に指示して、前記無線装置からペアリング要求データを送信させるペアリング要求指示ボタンが設けられ、前記空気調和機の制御部は、前記操作装置より前記ペアリング要求指示ボタンが操作されたことを示す信号を受信すると、前記無線装置より前記ペアリング要求データを送信し、送信した前記ペアリング要求データに対応する認証データを無線アクセスポイントより受信するとペアリングを完了し、前記無線装置を前記無線アクセスポイントに接続することを特徴とする。
【発明の効果】
【００１１】
本発明の一態様によれば、専用の無線アクセスポイントを必要とせず、かつ、空気調和機とは別体の操作装置の手元操作のみで空気調和機を無線アクセスポイントにペアリングさせることができる。
【図面の簡単な説明】
【００１２】
【図１】本発明の実施形態の通信制御システムを含む遠隔操作システムの構成を示す概略の説明図である。
【図２】上記遠隔操作システムに含まれるエアコンの構成を示すブロック図である。
【図３】上記遠隔操作システムに含まれるリモコンの構成を示すブロック図である。
【図４】上記遠隔操作システムに含まれるモバイル端末の構成を示すブロック図である。
【図５】上記エアコンの外観を示す斜視図である。
【図６】上記リモコンの外観を示す正面図である。
【図７】上記リモコンを用いて、上記エアコンと無線ＡＰとをペアリングする際の各構成要素間の指示や応答の受け渡しを示したチャートである。
【図８】上記エアコンとモバイル端末とをペアリングする際の各構成要素間の指示や応答の受け渡しを示したチャートである。
【図９】上記エアコンが通信ネットワークに接続されている状態で、上記リモコンのメニューボタンが長押しされた際の各構成要素間の指示や応答の受け渡しを示したチャートである。
【図１０】ペアリング済みで第１通信部の電源オフ時にメニューボタンを長押しした際の各構成要素間の指示や応答の受け渡しを示したチャートである。
【図１１】本発明の他の実施の形態を示すもので、ペアリング済みで第１通信部の電源オフ時にメニューボタンを長押しした際の各構成要素間の指示や応答の受け渡しを示したチャートである。
【図１２】本発明の他の実施の形態を示すもので、エアコンと無線ＡＰ、サーバ、モバイル端末とをペアリングする際の各構成要素間の指示や応答の受け渡しを示したチャートである。
【図１３】本発明の他の実施の形態を示すもので、第１通信部およびエアコンの本体電装部の構成を示すブロック図である。
【図１４】本発明の他の実施の形態を示すもので、第１通信部およびエアコンの本体電装部の構成を示すブロック図である。
【図１５】本発明の他の実施の形態を示すもので、メニューボタンが長押しされた際のリモコンからエアコンに送られる信号を詳細に示したチャートである。
【発明を実施するための形態】
【００１３】
〔実施の形態１〕
本発明の実施の一形態を図面に基づいて以下に説明する。図１は、本実施の形態の通信制御システムを含む遠隔操作システムの構成を示す概略の説明図である。なお、図１は、ユーザが屋外にいる状態を示している。
【００１４】
（遠隔操作システムの概要）
図１に示すように、本実施の形態の通信制御システムを含む遠隔操作システム１は、サーバ１１、空気調和機（以下、単にエアコンと称する）１２、無線アクセスポイント（以下、無線ＡＰ）１３、モバイル端末１４、およびエアコン１２のリモコン（リモコン装置：リモートコントローラ）１５を備えている。
【００１５】
エアコン１２は、無線ＡＰ１３を介して、サーバ１１、モバイル端末１４と接続されている。無線ＡＰ１３は、無線ＬＡＮ（Wireless Local Area Network）のルータ、アクセスポイン等の通信機器である。無線通信には、ＷｉＦｉ（登録商標）の他、無線ＬＡＮ規格の１つであるＩＥＥＥ８０２．１１ａ、ＩＥＥＥ８０２．１１ｂ、ＩＥＥＥ８０２．１１ｇあるいはＩＥＥＥ８０２．１１ｎなどを利用できる。もちろん、これら以外の他の無線ＬＡＮ規格に基づくものであってもよい。
【００１６】
モバイル端末１４は、スマートフォンやタブレット端末等である。サーバ１１は、エアコン１２を管理するもので、インターネットを含む通信ネットワーク６０に接続されている。
【００１７】
モバイル端末１４とサーバ１１は、通信ネットワーク６０を介して接続される。モバイル端末１４と通信ネットワーク６０におけるインターネットとの間は、３Ｇ、４Ｇ、ＬＴＥ（Long Term Evolution）、無線ＡＰ１３、あるいは公衆のＷｉ-Ｆｉ（登録商標）アクセスポイントなどを利用しで接続される。
【００１８】
エアコン１２、サーバ１１、モバイル端末１４が、機器同士が関連付けられることで、ユーザは、モバイル端末１４を用いてエアコン１２を遠隔操作できる。
【００１９】
（エアコン１２の要部の構成）
図２は、エアコン１２における要部の構成を示すブロック図である。なお、図２において、エアコン１２の本来の機能である空気調和機能に関する構成は省略している。図５は、エアコン１２の外観を示す斜視図である。
【００２０】
図２に示すように、エアコン１２は、記憶部２１、制御部２２、第１通信部（無線装置）２３、第２通信部２４、表示部２５、音出力部２６等を備えている。
【００２１】
記憶部２１は、各種情報を記憶する。制御部２２は、通信制御部２２−１、リモコン信号判定部２２−２、表示制御部２２−３、音制御部２２−４を備える。通信制御部２２−１は、第１通信部２３を制御し、リモコン信号判定部２２−２は、第２通信部２４で受信したリモコン信号を判定する。表示制御部２２−３は、表示部２５を制御し、音制御部２２−４は音出力部２６を制御する。表示制御部２２−３と音制御部２２−４には、通信制御部２２−１より無線通信状態が通知される。
【００２２】
第１通信部２３は、通信制御部２２−１の制御のもと、エアコン１２と通信ネットワーク６０との接続を可能にする無線通信モジュールである。第１通信部２３は、ペアリングを開始させる通信規格に応じた指示を受けとると、ペアリングモードに入り、ペアリングを開始する。例えば、ＷＰＳ（Wi-Fi（登録商標） Protected Setup（登録商標））機能であれば、ＷＰＳボタンが押されることで、ペアリングモードに入る。つまり、第１通信部２３は、利用している通信規格に応じたペアリング開始の指示を受けると、ペアリング要求データを送信する。この後、第１通信部２３は、送信したペアリング要求データに対応する認証データを無線アクセスポイントより受信するとペアリングを完了し、ペアリングされた無線アクセスポイントに接続する。
【００２３】
第２通信部２４は、リモコン（操作装置）１５からのリモコン信号を受信する受信部である。リモコン信号は、赤外線であってもよいし電波であってもよい。また、第２通信部２４は、リモコン１５と相互通信するものであってもよい。第２通信部２４は、受信したリモコン信号を、リモコン信号判定部２２−２に送る。
【００２４】
リモコン信号判定部２２−２は、第２通信部２４が受信したリモコン信号に基づいて、リモコン１５の所定ボタン、本実施の形態では、後述するメニューボタン３３−１が長押しされたか否かを判定する。リモコン信号判定部２２−２は、メニューボタン３３−１が長押しされたと判定すると、通信制御部２２−１にこれを通知する。メニューボタン３３−１が、エアコン１２にペアリング要求データを送信させるペアリング要求指示ボタンである。
【００２５】
通信制御部２２−１は、メニューボタン３３−１が長押しされたことが通知されると、第１通信部２３の電源がオフされている場合は、ペアリング開始が指示されたと判断し、第１通信部２３を起動させ、第１通信部２３にペアリング要求データを送信させる。一方、第１通信部２３が起動(電源オン)している状態で、メニューボタン３３−１が長押しされたことが通知されると、通信制御部２２−１は、第１通信部２３の電源をオフする。
【００２６】
表示部（報知部）２５は、図５に示すように、第１通信部２３の通信状態を示すＬＥＤランプ２５−１を有している。本実施の形態では、表示部２５は、１つのＬＥＤランプ２５−１の点灯パターンにより、第１通信部２３による無線通信状態をユーザに報知するようになっている。表示部２５は、表示制御部２２−３の制御のもと、無線通信状態として、エアコン１２（第１通信部２３）が通信ネットワーク６０に接続されているか否か、ペアリング処理時はペアリングが成功したか失敗したか、ペアリング処理中であるなどの状態を報知する。また、本実施の形態では、ペアリング処理時に、ペアリング対象として自身が選択されたことも報知する。
【００２７】
音出力部（報知部）２６は、音制御部２２−４の制御のもと、第１通信部２３による無線通信状態を、ブザー音やメロディ、音声等を出力してユーザに報知する。音出力部２６は、ペアリング処理時に、ペアリングが成功したか失敗したかを報知する。また、表示部２５と共に、本実施の形態では、ペアリング対象として自身が選択されたことも報知する。さらに、第１通信部２３が起動してエアコン１２（第１通信部２３）が通信ネットワーク６０に接続された時に、ブザー音やメロディ、音声を出力して報知する構成とすることもできる。これとは逆に、第１通信部２３の電源がオフされ、エアコン１２（第１通信部２３）が通信ネットワーク６０から切り離されたときに、ブザー音やメロディ、音声を出力して報知する構成とすることもできる。ブザー音、メロディ、音声等は、ユーザに通知する内容が分かるものが好ましく、何れを用いるかは適宜設定すればよい。
【００２８】
（リモコン１５の構成）
図３は、リモコン１５における要部の構成を示すブロック図である。図６は、リモコン１５の外観を示す正面図である。リモコン１５は、エアコン１２に同梱された赤外線リモコンであっても、同等機能を有するそれ以外のリモコンであってもよい。
【００２９】
図３に示すように、リモコン１５は、記憶部３１、制御部３２、ボタン操作部３３、信号送信部３４、表示部３５等を備えている。記憶部３１は、各種情報を記憶する。制御部３２は、操作判定部３２−１、送信制御部３２−２、表示制御部３２−３を備える。操作判定部３２−１は、ボタン操作部３３における操作されたボタン、およびそれが押された時間を判定する。送信制御部３２−２は、操作判定部３２−１の判定に基づいて、信号送信部３４を制御する。表示制御部３２−３は、表示部３５を制御する。表示制御部２２−３には、操作判定部３２−１より判定内容が通知される。
【００３０】
ボタン操作部３３は、図６に示すように、運転の入り切り、運転モード切り換え、設定温度の変更、風量変更、風向変更など、エアコン１２の動作を指示するための種々のボタンを備えている。ボタン操作部３３にて操作されたボタン、およびそれが押された時間を、操作判定部３２−１が判定し、送信制御部３２−２が、信号送信部３４を制御して、操作されたボタンおよびそれが押された時間に応じたリモコン信号を出力する。
【００３１】
ボタン操作部３３は、運転の入り切り、運転モード切り換え、設定温度の変更、風量変更、風向変更などの、ボタンを押す度にエアコン１２の動作状態が変化する動作ボタンの他、押してもエアコン１２の動作状態が変化しない機能ボタンも備えている。例えば、メニューボタン３３−１が機能ボタンに相当する。
【００３２】
メニューボタン３３−１は、ボタン操作部３３の上部に設けられた、表示部３５に表示する画面の切り換えに用いられるボタンである。メニューボタン３３−１が押される、操作判定部３２−１がこれを検出し、表示部３５を制御する表示制御部３２−３が、表示部３５に表示する画面を切り換える。
【００３３】
メニューボタン３３−１が押されることで、図６に示すような温度や運転モードを表示した通常の画面から、各種設定を行う設定画面に切り換わる。設定画面には、エアコン１２に、第１通信部２３の電源をオンオフさせる、つまり、通信ネットワーク６０との接続の入り切りを指示する画面も含まれている。各種設定画面において、カーソルを移動させるなどして項目を選択し、その後決定ボタンを押すことで、設定画面にて設定した内容をエアコン１２に指示することができる。
【００３４】
本実施の形態のリモコン１５においては、上記したメニューボタン３３−１が、エコアン１２の第１通信部２３を起動させて、ペアリングを開始させるペアリング要求指示ボタンとして兼用されている。エアコン１２は、メニューボタン３３−１が長押し（３秒以上）されたことを示す信号を受信すると、第１通信部２３を起動させて、ペアリングを開始させる。
【００３５】
リモコン１５は、エアコン１２に第１通信部２３からペアリング要求データを送信させるペアリング要求操作を受け付ける。また、リモコン１５は、後述するように、エアコン１２に通信ネットワーク６０との通信を切断させる切り離し操作も受け付ける。
【００３６】
（モバイル端末１４の構成）
図４は、モバイル端末１４における要部の構成を示すブロック図である。図４に示すように、モバイル端末１４は、記憶部４１、制御部４２、通信部４３、入力表示部４４等を備えている。記憶部４１は、各種情報を記憶する。記憶部４１に、エアコン１２と自身、エアコン１２とサーバ１１とをペアリングさせ、遠隔操作を可能とするアプリケーション（以下、アプリ）も記憶されている。
【００３７】
通信部４３はモバイル端末１４を通信ネットワーク６０に接続する。入力表示部４４は例えばタッチパネルを備えた液晶パネルからなり、各種情報を表示する。制御部４２は、通信制御部４２−１、入力表示制御部４２−２を備える。通信制御部４２−１は、通信部４３を制御し、入力表示制御部４２−２は、入力表示部４４を制御する。
【００３８】
上記構成において、エアコン１２と無線ＡＰ１３、エアコン１２とサーバ１１およびモバイル端末１４とのペアリングについて説明する。エアコン１２と、無線ＡＰ１３、サーバ１１およびモバイル端末１４とのペアリングは、エアコン１２が空気調和運転を行っている場合にも実施できる。リモコン１５の機能ボタンをペアリング要求指示ボタンとしているため、エアコン１２が空気調和運転を行っている状態でも、ペアリング処理を行うことができる。
【００３９】
（エアコン１２と無線ＡＰ１３とのペアリング）
図７は、リモコン１５を用いて、エアコン１２と無線ＡＰ１３とをペアリングする際の各構成要素間の指示や応答の受け渡しを示したチャートである。図中、塗り潰した△マークを付した動作は、ユーザの動作である。図７は、エアコン１２の設置時等の第１通信部２３が起動していない状態でペアリングを開始する指示を受け取り、かつ、ペアリングが成功した場合のものである。
【００４０】
図７に示すように、ユーザが、リモコン１５のペアリング要求指示ボタンに相当するメニューボタン３３−１を長押しすると（Ｓ１）、リモコン１５からエアコン１２に、メニューボタン３３−１が長押しされたことを示すメニューボタン長押し信号（リモコン信号）が送信される（Ｓ２）。
【００４１】
第１通信部２３の電源オフの状態でメニューボタン長押し信号を受信することで、エアコン１２は、ペアリング（ペアリングモード）を開始する指示を受けたと判断して、表示部２５のＬＥＤランプ２５−１を点滅させると共にブザー音を出力する（Ｓ３）。続けて、エアコン１２は、第１通信部２３を起動し（Ｓ４）、ペアリングを要求するペアリング要求データを出力する（Ｓ５）。ここでユーザは、Ｓ３のエアコン１２のＬＥＤランプ２５−１の点滅やブザー音により、エアコン１２がペアリング開始状態となったことを確認できる。
【００４２】
次に、ユーザは、無線ＡＰ１３のＷＰＳ(登録商標)ボタンのような、無線ＡＰ１３をペアリング要求待ち動作を開始させるためのペアリング開始ボタンを長押しする（Ｓ６）。これにより、無線ＡＰ１３は、ペアリング要求待ち動作を開始し（Ｓ７）、エアコン１２から送信されているペアリング要求データをキャッチ（受信）すると、エコアン１２を認証するための認証動作を行う。
【００４３】
無線ＡＰ１３は、エアコン１２の認証が完了すると、ペアリング完了したことを知らせるペアリング完了通知をエアコン１２に送る（Ｓ８）。エアコン１２は、ペアリング完了通知を受け取ると、ペアリングを完了し（Ｓ９）、その後、ＬＥＤランプ２５−１を点灯させるとともにメロディを流す（Ｓ１０）。ユーザは、エアコン１２のＬＥＤランプ２５−１が点滅から点灯への変化や、流れるメロディにて、ペアリングの成功を確認する。
【００４４】
なお、ペアリング要求待ち動作を開始した無線ＡＰ１３が、エアコン１２から送信されているペアリング要求データをキャッチできない場合、エコアン１２を認証するための認証動作を行うことができない。認証動作に移行しないまま、所定時間が経過すると、無線ＡＰ１３は、ペアリング要求待ち動作を終了する。
【００４５】
エアコン１２側においても、ペアリング完了通知を受け取らないまま一定時間が経過すると、ペアリングに失敗したと判断して、ペアリング開始を行う前に繋がっていた無線ＡＰが有る場合は、その無線ＡＰと接続する。ペアリング開始を行う前に繋がっていた無線ＡＰが無い場合は、ブザー音の報知と共にＬＥＤランプ２５−１を消灯し、第１通信部２３の電源をオフする。ユーザは、エアコン１２のＬＥＤランプ２５−１が点滅から消灯への変化や流れるブザー音にてペアリングが失敗したと判断し、Ｓ１より操作をし直す。
【００４６】
（エアコン１２とモバイル端末１４およびサーバ１１とのペアリング）
図８は、エアコン１２とモバイル端末１４とをペアリングする際の各構成要素間の指示や応答の受け渡しを示したチャートである。図中、塗り潰した△マークを付した動作は、ユーザの動作である。図８は、ペアリングが成功した場合を示す。
【００４７】
図８に示すように、ユーザが、モバイル端末１４においてエアコン１２を操作するアプリの起動を指示すると（Ｓ１１）、モバイル端末１４がアプリを起動する（Ｓ１２）。なお、モバイル端末１４と無線ＡＰ１３とは既にペアリングされており、エアコン１２とモバイル端末１４との通信は、無線ＡＰ１３を介し行う。
【００４８】
ユーザがアプリの画面を操作し、ペアリング対象機器を検索すると（Ｓ１３）、モバイル端末１４は、無線ＡＰ１３と接続されている無線機器をアプリ画面に一覧表示する（Ｓ１４）。ユーザがアプリの画面を操作して一覧表示の中からペアリング対象機器であるエアコン１２を選択する（Ｓ１５）。ペアリング対象機器であるエアコン１２が選択されると、モバイル端末１４は、エコアン１２に選択されたことを示す通知信号を送信する。
【００４９】
エアコン１２は、モバイル端末１４より通知信号を受信すると、表示部２５のＬＥＤランプ２５−１をパターンＡで点滅させると共にブザー音Ａもしくは音声を出力する（Ｓ１７）。ここでユーザは、Ｓ１７のエアコン１２のＬＥＤランプ２５−１の点滅Ａやブザー音Ａにより、エアコン１２が、アプリを介してのサーバ１１およびモバイル端末１４とのペアリング対象であることを確認できる。
【００５０】
通知信号を送信後、モバイル端末１４のアプリの画面には、「リモコンのメニューボタンを短押しして下さい」といったメッセージが表示される。（Ｓ１８）。
【００５１】
該表示を見て、ユーザが、リモコン１５のメニューボタン３３−１を短押しすると（Ｓ１９）、リモコン１５からエアコン１２に、メニューボタン３３−１が短押しされたことを示すメニューボタン短押し信号（リモコン信号）が送信される（Ｓ２０）。
【００５２】
エアコン１２は、リモコン１５からメニューボタン短押し信号（リモコン信号）を受信すると、表示部２５のＬＥＤランプ２５−１をパターンＢで点滅させると共に、ブザー音Ｂを出力する（Ｓ２１）。続けて、エアコン１２は、モバイル端末１４に対して、アプリを介してモバイル端末１４とサーバ１１とのペアリング開始を要求する（Ｓ２２）。ユーザにＳ１９の操作を行わせて、エアコン１２からペアリングの開始を要求させることで、リモコン１５による操作ができないようなエアコン１２から離れた位置に居る人物によるペアリングを阻止できる。
【００５３】
モバイル端末１４は、エアコン１２よりペアリング開始の要求を受信すると、アプリがエアコン１２とサーバ１１およびモバイル端末１４とのペアリングを開始し（Ｓ２３）。ペアリングが完了すると、サーバ１１およびモバイル端末１４とのペアリング完了したことを示すペアリング完了通知をエアコン１２に送信する（Ｓ２４）。エアコン１２は、ペアリング完了通知を受け取ると、ＬＥＤランプ２５−１を点灯させるとともにメロディもしくは音声を流す（Ｓ２５）。ユーザは、エアコン１２のＬＥＤランプ２５−１が点滅から点灯への変化や、流れるメロディにて、サーバ１１およびモバイル端末１４とエアコン１２とのペアリングの成功を確認する。モバイル端末１４は、ペアリングが完了とすると、操作可能な機器一覧を表示した通常画面を表示する（Ｓ２６）。
【００５４】
このようにしてエアコン１２は、サーバ１１およびモバイル端末１４とペアリングされる。
【００５５】
（エアコン１２を通信ネットワーク６０から切り離す際の動作）
図９は、エアコン１２が通信ネットワーク６０に接続されている状態で、リモコン１５のメニューボタン３３−１が長押しされた際の各構成要素間の指示や応答の受け渡しを示したチャートである。図中、塗り潰した△マークを付した動作は、ユーザの動作である。
【００５６】
図９に示すように、ユーザが、リモコン１５のメニューボタン３３−１を長押しすると（Ｓ１）、リモコン１５からエアコン１２に、メニューボタン３３−１が長押しされたことを示すメニューボタン長押し信号（リモコン信号）が送信される（Ｓ２）。
【００５７】
エアコン１２は、第１通信部２３の電源がオンしている状態で、メニューボタン長押し信号を受信すると、第１通信部２３の駆動を終了する（Ｓ３１）。これにより、エアコン１２は、通信ネットワーク６０から切り離される。
【００５８】
エアコン１２の通信ネットワーク６０からの切り離しは、リモコン１５のメニューボタン３３−１を押して、リモコン１５の表示部３５に、切り離しを指示する設定画面を表示することでも行える。しかしながら、設定画面を用いて切り離す場合、設定画面を表示し、項目を選択し、決定ボタンを操作するなどの数段階の操作が必要であり、迅速な対応はできない。
【００５９】
これに比べて、リモコン１５のメニューボタン３３−１を長押しする構成は、１プッシュで切り離しを指示できるので、より迅速に切り離すことができる。メニューボタン３３−１は、リモコン１５の表面に設けられている構成が最も望ましいが、開閉式のリモコンで、扉を開くことでアクセスできる仕様のものであってもよい。
【００６０】
なお、メニューボタン３３−１の長押しによって第１通信部２３の電源がオフされて通信回線から切断された場合は、再度メニューボタン３３−１を長押しして、第１通信部２３の電源オンと無線ＡＰ１３とのペアリングを開始させる。このようにすることで、後述するように前回ペアリングされていた無線ＡＰ１３に接続して通信ネットワーク６０へ接続できる。また、リモコン１５の表示部３５に表示される設定画面から、第１通信部２３の電源をオンさせることでも通信ネットワーク６０へ接続できる。
【００６１】
（ペアリング済みで第１通信部２３の電源オフ時にメニューボタン３３−１を長押しした際の動作）
図１０は、ペアリング済みで第１通信部２３の電源オフ時にメニューボタン３３−１を長押しした際の各構成要素間の指示や応答の受け渡しを示したチャートである。図中、塗り潰した△マークを付した動作は、ユーザの動作である。
【００６２】
図１０に示すように、ユーザが、リモコン１５のメニューボタン３３−１を長押しすると（Ｓ１）、リモコン１５からエアコン１２に、メニューボタン３３−１が長押しされたことを示すメニューボタン長押し信号（リモコン信号）が送信される（Ｓ２）。
【００６３】
第１通信部２３の電源オフの状態でメニューボタン長押し信号を受信することで、エアコン１２は、図７のチャートと同様に、Ｓ３〜Ｓ５を実施して、ＬＥＤランプ２５−１を点滅させると共にブザー音を出力し、第１通信部２３を起動し、ペアリングを開始する。
【００６４】
しかしながら、ユーザにて無線ＡＰ１３のペアリング開始ボタンが押されることはないため、エアコン１２は、ペアリング完了通知を受け取ることができない。エアコン１２は、ペアリング完了通知を受け取ることができないまま、所定時間（例えば２分間）が経過すると、前回ペアリングされていた無線ＡＰ１３に接続する（Ｓ４１）。
【００６５】
以上のように、本実施の形態の通信制御システムによれば、エアコン１２のリモコン１５のメニューボタン３３−１を１回長押しすることで、一般的なプッシュボタン対応の無線ＡＰ１３とエアコン１２とをペアリングさせることができる。
【００６６】
このようなリモコン１５を用いたペアリングの操作は、無線ＡＰ１３にペアリング要求待ち動作を開始させるためのペアリング開始ボタンを押す以外は、リモコン１５装置における手元操作のみであり、エアコン１２に設けられたボタンを操作する必要が一切ない。したがって、エアコン１２と無線ＡＰ１３とを簡単にペアリングしてエアコン１２を通信ネットワーク６０に接続することができる。
【００６７】
また、エアコン１２の制御部２２は、第１通信部２３が起動されていない状態で、リモコン１５からメニューボタン３３−１が長押しされたことを示す信号を受信すると、第１通信部２３を起動させた後、ペアリング要求を行わせるようになっている。
【００６８】
上記構成によれば、第１通信部２３を起動させるためのボタン操作も必要とせず、メニューボタン３３−１が長押しするだけで、第１通信部２３を起動させて、ペアリング処理を行わせることができる。
【００６９】
また、リモコン１５におけるメニューボタン３３−１は、エアコン１２に対して、通信ネットワーク６０からの切り離しを指示する切り無し指示ボタンとしても機能するようになっている。エアコン１２の制御部２２は、リモコン１５より第１通信部２３を起動している状態で、メニューボタン３３−１が長押しされたことを示す信号を受信すると、第１通信部２３を無線ＡＰ１３より切り離す。
【００７０】
上記構成によれば、メニューボタン３３−１を操作するだけで迅速に通信ネットワーク６０からエアコン１２を切り離すことが可能となる。しかも、第１通信部２３を起動させてペアリングを開始させるボタンと、第１通信部２３の電源をオフして、無線ＡＰ１３より切り離すボタンとを同一ボタンの同一操作（長押し）としている。これにより、ボタン数の削減が図れることに加えて、統一した一つのボタンであるため、覚えやすく、使いやすくできる。
【００７１】
さらに、メッセージ要求指示ボタンおよび切り無し指示ボタンとして、リモコン１５における、押してもエアコン１２の動作状態が変化しない機能ボタンであるメニューボタン３３−１を用い、メニューボタン３３−１を長押しする構成としている。
【００７２】
これにより、ペアリング要求指示ボタンや切り無し指示ボタンのように使用頻度の低いボタンを専用に設けることによるリモコンのボタン数の増大を回避することができる。
【００７３】
しかも、機能ボタンにて兼用し、かつ、長押しさせる構成としている。これにより、エアコン１２が空気調和運転を行っている状態でも、エアコン１２の運転に支障を来すことなく、エアコン１２と無線ＡＰ１３とをペアリング処理したり、無線ＡＰ１３より切り離したりすることができる。
【００７４】
〔実施の形態２〕
本発明のその他の実施の一形態について説明する。なお、説明の便宜上、前述の実施の形態にて説明した部材と同じ機能を有する部材については、同じ符号を付記し、その説明を省略する。
【００７５】
本実施の形態の通信制御システムは、実施の形態１の通信制御システムと、ペアリング済みで第１通信部２３の電源オフ時にメニューボタン３３−１が長押しされた際の動作が異なる。その他の点は、実施の形態１の通信制御システムと同様である。
【００７６】
図１１は、ペアリング済みで第１通信部の電源オフ時にメニューボタン３３−１を長押しした際の各構成要素間の指示や応答の受け渡しを示したチャートである。図中、塗り潰した△マークを付した動作は、ユーザの動作である。
【００７７】
図１１に示すように、ユーザが、リモコン１５のメニューボタン３３−１を長押しすると（Ｓ１）、リモコン１５からエアコン１２に、メニューボタン３３−１が長押しされたことを示すメニューボタン長押し信号（リモコン信号）が送信される（Ｓ２）。
【００７８】
第１通信部２３の電源オフの状態でメニューボタン長押し信号を受信することで、エアコン１２は、図７のチャートと同様に、Ｓ３〜Ｓ５を実施して、ＬＥＤランプ２５−１を点滅させると共にブザー音を出力し、第１通信部２３を起動し、ペアリングを開始する。ここまでの動作は、図１０のチャートと同じである。
【００７９】
本実施の形態では、図１１に示すように、Ｓ５のペアリング開始後に、ユーザが、リモコン１５のメニューボタン３３−１を短押しすると（Ｓ５１）、リモコン１５からエアコン１２に、メニューボタン３３−１が短押しされたことを示すメニューボタン短押し信号（リモコン信号）が送信される（Ｓ５２）。
【００８０】
エアコン１２は、ペアリング要求データを送信している状態で、リモコン１５からメニューボタン短押し信号（リモコン信号）を受信すると、所定時間（例えば２分間）が経過を待つことなく、前回ペアリングされていた無線ＡＰ１３に接続する（Ｓ４１）。なお、図１１では記載していないが、本実施の形態の通信制御システムにおいても、メニューボタン短押し信号（リモコン信号）を受信しないまま、所定時間が経過すると、前回ペアリングされていた無線ＡＰ１３に接続する（Ｓ４１）。
【００８１】
〔実施の形態３〕
本発明のその他の実施の一形態について説明する。なお、説明の便宜上、前述の実施の形態にて説明した部材と同じ機能を有する部材については、同じ符号を付記し、その説明を省略する。
【００８２】
実施の形態１，２の通信制御システムにおいては、エアコン１２と無線ＡＰ１３とを接続する際に、エアコン１２よりペアリング要求データの送信を指示するボタンが、リモコン１５に設けられていた。これに対し、本実施の形態では、エアコン１２とペアリング済のモバイル端末１４に、アプリを起動することで表示される。つまり、アプリの画面上にエアコン１２よりペアリング要求データの送信を指示するボタンが表示される。また、切り無し指示ボタンも、アプリを起動することでアプリの画面上に表示される。
【００８３】
図１２は、エアコン１１２と無線ＡＰ１３、サーバ１１、モバイル端末１１４とをペアリングする際の各構成要素間の指示や応答の受け渡しを示したチャートである。図中、塗り潰した△マークを付した動作は、ユーザの動作である。
【００８４】
図１２に示すように、ユーザが、リモコン１１５の所定のボタンを長押しすると（Ｓ６１）、リモコン１１５の表示部に、エアコン１１２に内蔵された第１通信部２３の設定画面（アダプタ設定画面）が表示される（Ｓ６２）。
【００８５】
設定画面において、ユーザが所定モードを選択して決定ボタンを押すと（Ｓ６３）、第１通信部２３の起動を指示する信号が、リモコン１１５からエアコン１１２に送られる（Ｓ６４）。これにより、エアコン１１２の表示部のＬＥＤが点滅を開始し（Ｓ６５）、エアコン１２の第１通信部２３が起動する（Ｓ６５−１）。なお、Ｓ６５においては、ブザー音を出力するものであってもよい。
【００８６】
次に、ユーザは、モバイル端末１１４の設定等から、モバイル端末１４のＷｉ-Ｆｉ（登録商標）接続をオンし、エアコン１１２の取扱説明書等に同封されているＳＳＩＤ，ＫＥＹを入力し（Ｓ６６）、モバイル端末１１４から、エアコン１１２にペアリングを要求する（Ｓ６７）。エアコン１１２は、モバイル端末１１４よりペアリングの要求を受けてペアリングを開始し（Ｓ６８）、ペアリングが完了すると、モバイル端末１１４にペアリング完了したことを知らせるペアリング完了通知を送る（Ｓ６９）。これにより、エアコン１１２は、表示部のＬＥＤの点滅パターンを変化させる（Ｓ７０）。エアコン１１２とモバイル端末１４とがペアリングされることで、エアコン１１２はサーバ１１ともペアリングされる。
【００８７】
次に、ユーザが、モバイル端末１１４においてエアコン１２を操作するアプリの起動を指示すると（Ｓ７１）、モバイル端末１１４がアプリを起動する（Ｓ７２）。モバイル端末１１４に、エアコン１１２にペアリング要求データの送信を指示するペアリング開始ボタンが表示される。
【００８８】
ユーザが、アプリの画面を操作し、アプリ画面のペアリング要求指示ボタンを長押しすると（Ｓ７３）、モバイル端末１４からエアコン１１２に、ペアリング要求指示ボタンが長押しされたことを示す信号が送信される（Ｓ７４）。
【００８９】
エアコン１１２は、ペアリング開始要求ボタンが長押しされたことを示す信号が入力されると、エアコン１１２の表示部のＬＥＤを再びペアリング中であることを示す点滅を開始し（Ｓ７５）、ペアリングを要求するペアリング要求データを出力する（Ｓ７６）。ここでユーザは、Ｓ７５のエアコン１１２のＬＥＤの点滅等により、エアコン１１２が無線ＡＰ１３とペアリング開始状態となったことを確認できる。
【００９０】
次に、ユーザは、無線ＡＰ１３のＷＰＳ(登録商標)ボタンのような、無線ＡＰ１３をペアリング要求待ち動作を開始させるためのペアリング開始ボタンを長押しする（Ｓ７７）。これにより、無線ＡＰ１３は、ペアリング要求待ち動作を開始し（Ｓ７８）、エアコン１１２から送信されているペアリング要求データをキャッチすると、エコアン１１２を認証するための認証動作を行う。
【００９１】
無線ＡＰ１３は、エアコン１１２の認証が完了すると、ペアリング完了したことを知らせるペアリング完了通知をエアコン１１２に送る（Ｓ７９）。エアコン１１２は、ペアリング完了通知を受け取ると、ペアリングを完了し（Ｓ８０）、その後、ＬＥＤランプを点灯させる（Ｓ８１）。なお、この間、ユーザが、モバイル端末１１４のアプリ画面に従い、アプリを介してエアコン１１２とモバイル端末１１４およびサーバ１１とをペアリングするために必要設定を行う。
【００９２】
このように、エアコン１１２の第１通信部２３よりペアリング要求指示を送信させるボタンは、エアコン１１２と既にペアリング済みのモバイル端末１１４であっても良い。
【００９３】
そして、アプリを用いて、モバイル端末１１４をエアコン１１２のリモコン１１５のように用いる構成では、切り無し指示ボタンもアプリの画面上に表示される。
【００９４】
〔実施の形態４〕
本発明のその他の実施の一形態について説明する。なお、説明の便宜上、前述の実施の形態にて説明した部材と同じ機能を有する部材については、同じ符号を付記し、その説明を省略する。
【００９５】
前述した実施の形態１〜３においては、図７および図１１のＳ４、図１２のＳ６５−１において第１通信部２３を起動し、図９のＳ３１において第１通信部２３の駆動を終了し、無線ＡＰ１３（通信ネットワーク６０）から切り離している。本実施の形態では、このような第１通信部２３の起動および切り離しの具体的な手法について説明する。
【００９６】
図１３は、本実施の形態における第１通信部２３およびエアコン１２の本体電装部１６の構成を示すブロック図である。図１３に示すように、第１通信部２３は、第１通信部２３を制御するマイコン（集積回路、マイクロコンピュータ）２３−１と無線通信部２３−２を備えている。エアコン１２の本体電装部１６は、前述した制御部２２および記憶部２１の他、電源部１７とスイッチ回路１８を備えている。
【００９７】
第１通信部２３のマイコン２３−１は、本体電装部１６の制御部２２と接続されている。また、マイコン２３−１および無線通信部２３−２は、制御部２２にて制御されるスイッチ回路１８を介して電源部１７と接続されている。マイコン２３−１および無線通信部２３−２には、スイッチ回路１８がオンの場合に電源部１７より電源電圧が供給される。
【００９８】
本実施の形態においては、制御部２２は、スイッチ回路１８をオンして電源部１７よりマイコン２３−１および無線通信部２３−２に電源電圧を供給することで第１通信部２３を起動する。また、制御部２２は、スイッチ回路１８をオフして電源部１７よりマイコン２３−１および無線通信部２３−２への電源電圧の供給を止めることで第１通信部２３の駆動を終了して無線ＡＰ１３から切り離す。
【００９９】
以上のように、本実施の形態では、エアコン１２は、第１通信部２３へ電源電圧を供給することで第１通信部２３を起動してオン状態とし、第１通信部２３への電源電圧の供給を止めることで第１通信部２３をオフ状態として無線ＡＰ１３（通信ネットワーク６０）より切り離す。
【０１００】
〔実施の形態５〕
本発明のその他の実施の一形態について説明する。なお、説明の便宜上、前述の実施の形態にて説明した部材と同じ機能を有する部材については、同じ符号を付記し、その説明を省略する。
【０１０１】
前述した第１〜第３の実施の形態では、第１通信部２３を起動した状態を電源オンの状態、第１通信部２３の駆動を終了した状態を第１通信部２３の電源オフの状態と表現している。しかしながら、第１通信部２３を起動した電源オン状態および駆動を終了した電源オフ状態は、第４の実施の形態で説明した電源電圧の供給の切り換え以外の方法でも実現できる。本実施の形態では、実施の形態４とは別の第１通信部２３の起動および切り離しの手法について説明する。
【０１０２】
図１４は、本実施の形態における第１通信部２３およびエアコン１２の本体電装部１６の構成を示すブロック図である。図１４に示すように、本体電装部１６には、スイッチ回路１８が備えられていない。そのため、本実施の形態においては、エアコン１２のプラグがコンセントに差し込まれた状態（本体電装部１６の電源部１７が電源電圧の供給が可能な状態）にある場合、常にマイコン２３−１および無線通信部２３−２へ電源電圧が供給される。
【０１０３】
電源電圧を常に供給した状態で、本実施施の形態においては、制御部２２が、マイコン２３−１のリセットポート５０に出力する信号を制御して、第１通信部２３を起動させたり停止させたりする。マイコン２３−１は、リセットポート５０に入る信号のレベルに基づいて、リセット／リセット解除が切り換わる仕様となっている。
【０１０４】
そこで、制御部２２は、第１通信部２３を停止させる期間は、マイコン２３−１をリセットさせるレベルの信号をリセットポート５０に出力する。マイコン２３−１は、駆動している状態（リセット解除の状態）でリセットポート５０にリセットするレベルの信号の入力を検出すると、リセット状態に入り駆動を停止する。これにより、第１通信部２３は停止状態となり、無線ＡＰ１３（通信ネットワーク６０）より切り離される。
【０１０５】
一方、制御部２２は、第１通信部２３を起動して駆動させる期間は、マイコン２３−１をリセット解除させるレベルの信号をリセットポート５０に出力する。マイコン２３−１は、停止している状態（リセット状態）でリセットポート５０にリセット解除するレベルの信号の入力を検出すると、リセット状態を解除して駆動を開始する。これにより、第１通信部２３は起動し、駆動を開始する。
【０１０６】
以上のように、本実施の形態では、エアコン１２は、第１通信部２３のマイコン２３−１のリセットポート５０に入力させる信号を制御することで、第１通信部２３を起動してオン状態としたり、オフ状態として無線ＡＰ１３（通信ネットワーク６０）より切り離したりする。
【０１０７】
このような構成とすることで、ソフト的に第１通信部の起動および停止を制御でき、スイッチ回路等の電源電圧の供給を切り換えるための回路部品を不要にできる。
【０１０８】
また、リセットポート５０に出力している信号のレベルを制御部２２に記憶させることができるので、例えば、エアコン１２のプラグをコンセントから抜いたとしても、次に差し込んでときに、第１通信部の駆動状態を、プラグを抜く前の状態に戻すことができる。
【０１０９】
〔実施の形態６〕
本発明のその他の実施の一形態について説明する。なお、説明の便宜上、前述の実施の形態にて説明した部材と同じ機能を有する部材については、同じ符号を付記し、その説明を省略する。
【０１１０】
前述した実施の形態１〜３の図７、図９、図１０および図１１においては、ユーザが、リモコン１５のペアリング要求指示ボタンに相当するメニューボタン３３−１を長押しすると（Ｓ１）、リモコン１５からエアコン１２に、メニューボタン３３−１が長押しされたことを示すメニューボタン長押し信号（リモコン信号）が送信される（Ｓ２）構成である。
【０１１１】
ここで、より詳細には、図１５に示すように、Ｓ１とＳ２との間には、Ｓ２−１が実施される。図１５は、メニューボタンが長押しされた際のリモコンからエアコンに送られる信号を詳細に示したチャートである。つまり、図１５に示すように、ユーザが、リモコン１５のペアリング要求指示ボタンに相当するメニューボタン３３−１を長押しすると（Ｓ１）、まず、メニューボタン３３−１が短押しされたことを示すメニューボタン短押し信号が送信される（Ｓ２−１）。その後、所定期間（例えば３秒）経過すると、リモコン１５からエアコン１２に、メニューボタン３３−１が長押しされたことを示すメニューボタン長押し信号が送信される（Ｓ２）。
【０１１２】
Ｓ２−１で送信されるメニューボタン短押し信号は、メニューボタン３３−１を共用しているために出力される信号である。例えば、エアコン１２とリモコン１５とをリンクさせる場合に、エアコン１２は、メニューボタン短押し信号が入力されることでリンクを許可する。なお、ペアリングの際には、最初に入力されるメニューボタン短押し信号は関係ないため、エアコン１２はこの信号を無視して、メニューボタン長押し信号の入力を待つ。
【０１１３】
〔実施の形態７〕
通信制御システムにおけるエアコン１２（１１２）、モバイル端末１４（１１４）、リモコン１５の各制御部のブロックは、集積回路（ＩＣチップ）等に形成された論理回路（ハードウェア）によって実現してもよいし、ＣＰＵ（Central Processing Unit）を用いてソフトウェアによって実現してもよい。
【０１１４】
後者の場合、エアコン１２（１１２）、モバイル端末１４（１１４）、リモコン１５は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１１５】
〔まとめ〕
本発明の態様１に係る通信制御システムは、無線装置（第１通信部２３）を有する空気調和機（エアコン１２，１１２）と、該空気調和機を無線にて操作可能な操作装置（リモコン１５、モバイル端末１１４）とを含む、空気調和機と通信ネットワークとの接続を制御する通信制御システムであって、前記操作装置は、前記無線装置にペアリング要求データを送信させるペアリング要求操作を受け付け可能であり、前記空気調和機は、前記操作装置にて前記ペアリング要求操作を受け付けたことを示す信号を受信すると、前記無線装置に前記ペアリング要求データを送信させ、送信させた前記ペアリング要求データに対応する認証データを無線アクセスポイントより受信するとペアリングを完了し、前記無線装置を前記無線アクセスポイントに接続する。
【０１１６】
上記構成によれば、操作装置側からペアリング要求操作を行うことで、一般的なプッシュボタン対応の無線ＡＰ１３と空気調和機とをペアリングさせることができる。
【０１１７】
このような操作装置を用いたペアリングの操作は、無線ＡＰ１３のペアリング開始ボタンを押す操作以外は、操作装置における手元操作のみであり、空気調和機に設けられたボタン等を操作する必要が一切ない。したがって、空気調和機と無線ＡＰ１３とを簡単にペアリングして空気調和機を通信ネットワーク６０に接続することができる。
【０１１８】
本発明の態様２に係る通信制御システムは、さらに、前記空気調和機は、前記無線装置が起動されていない状態で、前記操作装置からペアリング要求操作を受け付けたことを示す信号を受信すると、前記無線装置を起動させた後、前記ペアリング要求データを送信させる構成とすることもできる。
【０１１９】
上記構成によれば、無線装置を起動させるための操作も必要とせず、ペアリング要求操作を行うだけで、無線装置を起動させて、ペアリング処理を行わせることができる。
【０１２０】
本発明の態様３に係る通信制御システムは、さらに、前記操作装置には、前記空気調和機に対して、通信ネットワーク６０からの切り離しを指示する切り無し操作を受け付け可能であり、前記空気調和機は、前記操作装置にて前記切り離し操作を受け付けたことを示す信号を受信すると、前記無線装置を前記無線アクセスポイントより切り離す構成とすることもできる。
【０１２１】
上記構成によれば、操作装置側で切り無し操作を行うだけで迅速に通信ネットワーク６０から空気調和機を切り離すことが可能となる。
【０１２２】
本発明の態様４に係る通信制御システムは、さらに、前記操作装置は、前記空気調和機のリモコン装置（リモコン１５）であり、前記リモコン装置における、押しても空気調和機の動作状態が変化しない所定の機能ボタンがペアリング要求操作を受け付けるペアリング要求指示ボタンとして兼用され、前記空気調和機は、前記操作装置より前記ペアリング要求指示ボタンが操作されたことを示す信号として、前記所定の機能ボタンが長押しされたことを示す信号を受信する構成とすることもできる。
【０１２３】
上記構成によれば、リモコン装置に設けられた、押しても空気調和機の動作状態が変化しない所定の機能ボタンを、ペアリング要求操作を受け付けるペアリング要求指示ボタンとして兼用するようになっている。ペアリング要求指示ボタンは、動作ボタンのように頻繁に使用されるものではないため、専用に設けるとリモコン装置のボタン数の増加につながる。このように従前からあるボタンと兼用することで、ボタンの増加を回避できる。
【０１２４】
しかも、機能ボタンにて兼用し、かつ、長押しさせることで、空気調和機が空気調和運転を行っている状態でも、空気調和機の運転に支障を来すことなく、空気調和機と無線アクセスポイントとのペアリング処理を行うことができる。
【０１２５】
本発明の態様５に係る通信制御システムは、さらに、前記操作装置（リモコン１５）は、前記空気調和機のリモコン装置であり、前記リモコン装置における、押しても空気調和機の動作状態が変化しない所定の機能ボタンが切り無し指示操作を受け付ける切り離し指示ボタンとして兼用され、前記空気調和機は、前記操作装置より前記切り離し指示ボタンが操作されたことを示す信号として、前記所定の機能ボタンが長押しされたことを示す信号を受信する構成とすることもできる。
【０１２６】
上記構成によれば、リモコン装置に設けられた、押しても空気調和機の動作状態が変化しない所定の機能ボタンを、切り離し操作を受け付ける切り離し指示ボタンとして兼用するようになっている。切り離し指示ボタンは、動作ボタンのように頻繁に使用されるものではないため、専用に設けるとリモコン装置のボタン数の増加につながる。このように従前からあるボタンと兼用することで、ボタンの増加を回避できる。
【０１２７】
しかも、機能ボタンにて兼用し、かつ、長押しさせることで、空気調和機が空気調和運転を行っている状態でも、空気調和機の運転に支障を来すことなく、通信ネットワーク６０から切り離すことができる。
【０１２８】
本発明の態様６に係る通信制御システムは、さらに、前記空気調和機は、前記無線アクセスポイントとのペアリング時の通信状態の変化をユーザに報知する報知部（表示部２５、音出力部２６）を備える構成とすることもできる。
【０１２９】
上記構成によれば、ユーザは、報知部より報知される情報に基づいて、無線アクセスポイントとのペアリング時の通信状態を確認することができる。
【０１３０】
本発明の態様７に係る通信制御システムは、さらに、前記報知部が、前記空気調和機に設置された１つのＬＥＤランプであり、該ＬＥＤランプ点灯状態を変化させることで、通信状態の変化をユーザに報知する構成とすることもできる。
【０１３１】
上記構成によれば、空気調和機に設置された１つのＬＥＤランプといったシンプルな構成にて、無線アクセスポイントとのペアリング時の通信状態をユーザに報知できる。
【０１３２】
本発明の態様８に係る通信制御システムは、さらに、前記空気調和機は、前記無線装置へ電源電圧を供給することで前記無線装置を起動してオン状態とし、前記無線装置への電源電圧の供給を止めることで前記無線装置をオフ状態として前記無線アクセスポイントより切り離す構成とすることもできる。
【０１３３】
上記構成によれば、無線装置の起動および無線アクセスポイントからの切り離す構成を容易に実現できる。
【０１３４】
本発明の態様９に係る通信制御システムは、さらに、前記無線装置は集積回路を備え、前記空気調和機は、前記集積回路のリセットポートに入力させる信号を制御することで前記無線装置を起動してオン状態とし、前記集積回路のリセットポート５０に入力させる信号を制御することで前記無線装置をオフ状態として前記無線アクセスポイントより切り離す構成とすることもできる。
【０１３５】
上記構成によれば、ソフト的に無線装置の起動および停止を制御でき、電源電圧の供給を切り替える構成において必要な回路部品を不要にできる。
【０１３６】
本発明の態様１０に係るリモコン装置（リモコン１５）は、さらに、無線装置（第１通信部２３）を有する空気調和機（エアコン１２）を無線にて操作可能なリモコン装置であって、前記空気調和機に指示して、前記無線装置からペアリング要求データを送信させるペアリング要求指示ボタンが設けられていることを特徴とする。
【０１３７】
本発明の態様１１に係るリモコン装置（リモコン１５）は、さらに、前記無線装置と無線アクセスポイントとの切り離しを指示する切り無し指示ボタンが設けられている構成とすることもできる。
【０１３８】
本発明の態様１２に係る空気調和機（エアコン１２）は、無線装置（第１通信部２３）を有する空気調和機であって、当該空気調和機を無線にて操作可能な操作装置より、ペアリング要求操作を受け付けたことを示す信号を受信すると、前記無線装置に前記ペアリング要求データを送信させ、送信させた前記ペアリング要求データに対応する認証データを無線アクセスポイントより受信するとペアリングを完了し、前記無線装置を前記無線アクセスポイントに接続する構成である。
【０１３９】
本発明の態様１３に係る空気調和機（エアコン１２）は、さらに、前記操作装置より、前記空気調和機と通信ネットワークとの切り離し操作を受け付けたことを示す信号を受信すると、前記無線装置を前記無線アクセスポイントより切り離す構成とすることもできる。
【０１４０】
上記の構成によれば、前記態様１０と態様１２の組み合わせにて、態様１と同様の作用効果を奏する。
【０１４１】
また、上記の構成によれば、前記態様１１と態様１３の組み合わせにて、態様３と同様の作用効果を奏する。
【０１４２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１４３】
１  遠隔操作システム
１１  サーバ
１２、１１２  エアコン（空気調和機）
１４、１１４  モバイル端末
１３  無線アクセスポイント
１５、１１５  リモコン（操作装置）
１６  本体電装部
１７  電源部
１８  スイッチ回路
２１、３１、４１  記憶部
２２、３２、４２  制御部
２２−１、４２−１  通信制御部
２２−２  リモコン信号判定部
２２−３、３２−３  表示制御部
２２−４  音制御部
２３  第１通信部（無線装置）
２３−１  マイコン（集積回路）
２３−２  無線通信部
２４  第２通信部
２５  表示部（報知部）
２５−１  ＬＥＤランプ
２６  音出力部（報知部）
３２−１  操作判定部
３２−２  送信制御部
３３  ボタン操作部
３３−１  メニューボタン
３４  信号送信部
４２−２  入力表示制御部
４３  通信部
４４  入力表示部
５０  リセットポート
６０  通信ネットワーク
【図１】
2018220898.tif 000003
【図２】
2018220898.tif 000004
【図３】
2018220898.tif 000005
【図４】
2018220898.tif 000006
【図５】
2018220898.tif 000007
【図６】
2018220898.tif 000008
【図７】
2018220898.tif 000009
【図８】
2018220898.tif 000010
【図９】
2018220898.tif 000011
【図１０】
2018220898.tif 000012
【図１１】
2018220898.tif 000013
【図１２】
2018220898.tif 000014
【図１３】
2018220898.tif 000015
【図１４】
2018220898.tif 000016
【図１５】
2018220898.tif 000017
【国際調査報告】
2018220898.tif 000018
2018220898.tif 000019
2018220898.tif 000020
2018220898.tif 000021